(57)【特許請求の範囲】
【請求項１】
スピーカの前面に開口部が矩形形状の音波を導く音響管を結合し、この音響管の内部に、スピーカ取付面及び開口部に対して垂直方向に反射板を配置すると共に、この反射板と音響管の短径側側壁とスピーカ取付面に囲まれた空間部で音響管の長径側の側壁を開放した吸音孔をそれぞれ形成し、この吸音孔の開放面部に開放面を密閉するように形成された吸音孔圧力制御カバーを結合してなるスピーカ装置。
【請求項２】
吸音孔を密閉するための吸音孔圧力制御カバーを弾性材により構成した請求項１記載のスピーカ装置。
【請求項３】
吸音孔を密閉するための吸音孔圧力制御カバーを中央部を硬質なものとし、周囲を弾性材により構成した請求項１記載のスピーカ装置。
【請求項４】
吸音孔を密閉するための吸音孔圧力制御カバーを硬質材と弾性材により分割して構成した請求項１記載のスピーカ装置。
【請求項５】
吸音孔を密閉するための吸音孔圧力制御カバーを一部に孔を設けた硬質の材料により構成した請求項１記載のスピーカ装置。
【請求項６】
吸音孔を密閉するための吸音孔圧力制御カバーの一部に孔を設けた請求項２〜４いずれか記載のスピーカ装置。
【請求項７】
吸音孔に吸音材を挿入した請求項１〜６いずれか記載のスピーカ装置。
【発明の詳細な説明】
【０００１】
【産業上の利用分野】
本発明はテレビジョン受像機などの映像機器や、自動車、各種音響機器に利用されるスピーカ前面に音波を導く音響管を結合したスピーカ装置に関するものである。
【０００２】
【従来の技術】
スピーカの前面にホーンや音響管を結合し、スピーカから発生した音波を上記音響管の開口部まで導く方法は、ホーンや音響管を用いない場合に比べて出力音圧が大きく得られることや、特定の方向に音が伝えられるなどの利点があり、従来から多く用いられている。
【０００３】
以下、図面を参照し従来の音響管を用いたスピーカ装置について説明する。
図９は、上記従来のスピーカ装置を内蔵したテレビジョン受像機の構造概念図であり、図９において１は音響管、２はスピーカ、１８はテレビキャビネット、１９は陰極線管、２０はバックキャビネットを表したものである。
【０００４】
以上のように構成されたスピーカ装置を内蔵したテレビジョン受像機の動作について説明する。図９に示すように、スピーカ２の前面部に音波を導く音響管１を結合したスピーカ装置をテレビジョン受像機内部の陰極線管１９に沿わせて内蔵し、さらにテレビキャビネット１８を上記スピーカ装置に沿わせる構造とすることにより、テレビジョン受像機の小型スリム化が可能となるものである。
【０００５】
図７は上記従来のスピーカ装置の構成を示した構造概念図、図８はこの図７に示す従来のスピーカ装置の構成を音響管開口部方向より示した正面図である。
【０００６】
図７において、６はスピーカ２の前面部に設けられた音響レンズ、８はスピーカ取付面７及び開口部５に対して垂直方向に配置した反射板、１４は前記音響管１内部に配置した反射板８の両サイドに配置した吸音材、３は音響管１を構成する矩形形状の長辺方向の一方の面の反射板８の両サイドに配置された吸音材挿入孔、４は吸音材１４を挿入した後密閉する構成とした密閉カバーである。
【０００７】
以上のように構成された従来のスピーカ装置について以下にその動作を説明する。
【０００８】
スピーカ２に入力信号が印加されると音波が音響管１の内部を通って音響管開口部５から放射されるものである。しかし、音響管開口部５で音響インピーダンスが大きく変化しているため音波の一部は反射して、内部に戻ってきて定在波を作り、また音響管１の長さで発生する定在波によりピークディップの激しい乱れた再生音圧周波数特性になってしまう。
【０００９】
しかしながら、音響管１の内部に配置した吸音材１４は、この各定材波を吸収し抑制することにより平坦な再生音圧周波数特性を作り出す。これによって細長くほぼ矩形形状に近い形状に構成された音響管開口部５により自然な音響再生が可能となるように構成されたものであった。
【００１０】
【発明が解決しようとする課題】
しかしながら上記従来の構成では、図７に示すように音響管１の内部に発生する定在波を抑えるために吸音材１４が設けてあるものの、図６の符号１５に示すように中域再生帯域のピーク及びディップを取りきることができず、再生音圧周波数特性を低下させるという課題を有していた。
【００１１】
また、定在波を抑えるためには吸音材１４を大量に使用せざるを得ず、コスト面でも課題を残しているものであった。
【００１２】
本発明は上記従来の課題を解決するもので、中域の再生音圧周波数特性の向上と低コスト化を図り、更に再生音圧周波数特性が平坦になる音響特性の優れたスピーカ装置を提供することを目的とするものである。
【００１３】
【課題を解決するための手段】
この課題を解決するために本発明のスピーカ装置は、スピーカの前面に開口部が矩形形状の音波を導く音響管を結合し、この音響管の内部に、スピーカ取付面及び開口部に対して垂直方向に反射板を配置すると共に、この反射板と音響管の短径側側壁とスピーカ取付面に囲まれた空間部で音響管の長径側の側面を開放した吸音孔をそれぞれ形成し、この吸音孔の開放面部に開放面を密閉するように形成された吸音孔圧力制御カバーを結合した構成としたものである。
【００１４】
【作用】
この構成により、機器への組み込みを考慮し開口部を細長い矩形形状としたホーンや音響管を有するスピーカ装置においても、スピーカ前面部の音響管内部を構成する反射板及び吸音孔を配置し、且つ、吸音孔を密閉するように形成された密閉カバーを吸音孔圧力制御カバーとすることで中域のピークディップを吸音孔内の圧力を変化させることにより抑制することができ、中域の再生周波数特性を向上させることができる。
【００１５】
【実施例】
（実施例１）
以下、本発明の一実施例について図面を参照しながら説明する。
【００１６】
図１は同実施例におけるスピーカ装置の構成を示した斜視図であり、図２（ａ）〜（ｃ）はこの図１のＡ−Ａ′断面、Ｂ−Ｂ′断面、Ｃ−Ｃ′断面をそれぞれ示したものであり、上記図７を用いて説明した従来のスピーカ装置と同じ構成の部品には同じ符号を付与し、詳細な説明は省略する。
【００１７】
図１，図２において１は音響管であり、８はスピーカ取付面７及び開口部５に対して垂直方向に配置した反射板、９は音響管内部の反射板８の両サイドに設けられた吸音孔で、１０はこの吸音孔９の上面を密閉するための吸音孔圧力制御カバーである。６はスピーカ２の前面の開口部に設けられた音響レンズである。ここで、吸音孔圧力制御カバー１０の材質を弾性材、例えば、ゴム、シリコン、樹脂を含浸した紙などにすることにより吸音孔９の圧力を制御し、音響特性の補正をしようとするものである。
【００１８】
以上のように構成された本発明のスピーカ装置について、以下にその動作を説明する。
【００１９】
まず、スピーカ２に入力信号が印加されると、図２（ｃ）の矢印に示すように、その音波が音響管１の内部を通って音響管開口部５から放射される。その際、音響管１の内部に発生する定在波を吸音孔９に取り入れ、吸音孔９を密閉している吸音孔圧力制御カバー１０により上記定在波の空気の圧力を調整するように構成したものであり、このようにして中域の周波数帯域に発生する定在波による空気の圧力を調整することにより、中域の周波数特性を任意の音圧に調整することが可能となる。
【００２０】
以上、本実施例によるスピーカ装置の再生音圧周波数特性を従来のスピーカ装置の同特性と比較して図６の符号１６に示している。
【００２１】
この図６からも分かるように吸音孔９を密閉している吸音孔圧力制御カバー１０を設けた構成にすることにより、中域の周波数帯域に発生する定在波を制御すると同時に、再生音圧周波数特性にピークディップを少なくすることができ、中域の音圧を調整することが可能となる。
【００２２】
また、図３に示すように上記吸音孔９を密閉するための吸音孔圧力制御カバー１０Ａを中央部硬質材部１１、周辺弾性材部１２により構成することによっても同様の効果を得ることができるものである。また、密閉カバーを有した構造をもつ音響管においても、再生音圧周波数特性の向上を図ることができる。
【００２３】
また、本発明のスピーカ装置をテレビジョン受像機に内蔵することにより、テレビジョン受像機の小型スリム化を容易に実現できるほか、高性能で高音質のテレビジョン受像機とすることが可能となるものである。
【００２４】
（実施例２）
以下、本発明の第２の実施例について図面を参照しながら説明する。
【００２５】
図４は同実施例によるスピーカ装置の構成を示した斜視図であり、図４において１は音響管であり、９は音響管内部の反射板８の両サイドに設けられた吸音孔で、１０Ｂは吸音孔９の上面を密閉するための吸音孔圧力制御カバーである。６はスピーカ２の前面の開口部に設けられた音響レンズである。ここで、吸音孔圧力制御カバー１０Ｂを硬質材により構成し、前記吸音孔圧力制御カバー１０Ｂの一部に孔１３を設けるように構成することにより、吸音孔９の圧力を強制的に吸音孔９の外部に排出し、音響特性の補正をしようとするものであり、大きなピークディップの発生を抑制及び調整し、中域の再生音圧周波数特性を向上させることが可能となる。
【００２６】
また、図４において、吸音孔圧力制御カバー１０Ｂの材質を弾性材とすることにより、硬質材で構成された吸音孔圧力制御カバー１０では調整できない微妙な中域の再生音圧周波数特性の調整が可能となる。
【００２７】
以上、本実施例によるスピーカ装置の再生音圧周波数特性を従来のスピーカ装置の同特性と比較して図６の符号１７に示している。
【００２８】
（実施例３）
以下、本発明の第３の実施例について図面を参照しながら説明する。
【００２９】
図５は同実施例によるスピーカ装置の構成を示した斜視図であり、図５において、１は音響管であり、９は音響管内部の反射板８の両サイドに設けられた吸音孔で、１０Ｃは吸音孔９の上面を密閉するための吸音孔圧力制御カバーである。６はスピーカ２の前面の開口部に設けられた音響レンズである。ここで、吸音孔圧力制御カバー１０Ｃを上記実施例１のように弾性材により構成したり、あるいは吸音孔圧力制御カバー１０Ｃを上記実施例１の図３のように硬質材及び弾性材により構成したり、あるいは吸音孔圧力制御カバー１０Ｃの一部に孔１３を設けた構成とし、さらに吸音孔９に吸音材１４を挿入することにより定在波の空気の圧力を吸音孔圧力制御カバー１０Ｃにより調整すると共に吸音材１４による抵抗負荷により圧力を調整することが可能となり、中域の再生音圧周波数特性の向上及び調整をより容易にすることが可能となり、吸音材１４を設けていないときよりもピークディップを抑えることができ、音響特性をさらに平坦にすることができる。
【００３０】
以上、本実施例によるスピーカ装置の再生音圧周波数特性を従来のスピーカ装置の同特性と比較して図６の符号２１に示している。
【００３１】
また、このスピーカ装置をテレビジョン受像機に組み込んだ場合の再生音圧周波数特性として見た場合、ピークディップの少ない特性とすることが可能となり、従来品では実現できなかった中音域の音圧のバランスの向上と再生音圧周波数特性の平坦化、さらに、吸音材１４の少量化が図れ、優れた音響特性を実現できるものである。
【００３２】
なお、本発明の音響管１の構造により構成されたスピーカ装置に、後面キャビネットおよびバスレフポート等を設けた場合においても同様の効果が得られることは言うまでもない。
【００３３】
【発明の効果】
以上のように本発明によるスピーカ装置は、人間の声を形成する重要な中域の周波数帯域において、音圧のコントロールをすることができ、従来品では実現できなかった中域のバランスの向上を図った優れた音響特性を実現でき、また、吸音孔制御カバーの材質、形状により、定在波の圧力を制御することにより、音響管の内部に配置する吸音材の量を軽減することができ、コスト面でも優位なスピーカ装置を実現できるものである。
【図面の簡単な説明】
【図１】本発明の第１の実施例によるスピーカ装置の構造を示した分解斜視図
【図２】（ａ）図１のＡ−Ａ′断面を示した断面図
（ｂ）同Ｂ−Ｂ′断面を示した断面図
（ｃ）同Ｃ−Ｃ′断面を示した断面図
【図３】同実施例の吸音孔圧力制御カバーの他の構成を示した斜視図
【図４】本発明の第２の実施例によるスピーカ装置の構造を示した分解斜視図
【図５】本発明の第３の実施例によるスピーカ装置の構造を示した分解斜視図
【図６】本発明のスピーカ装置の再生音圧周波数特性と従来のスピーカ装置の同特性を比較した特性図
【図７】従来のスピーカ装置の構成を示した分解斜視図
【図８】従来のスピーカ装置の構成を示した正面図
【図９】従来の音響管を用いたスピーカ装置を内蔵したテレビジョン受像機の構造概念図
【符号の説明】
１  音響管
２  スピーカ
５  音響管開口部
６  音響レンズ
７  スピーカ取付面
８  反射板
９  吸音孔
１０，１０Ａ，１０Ｂ，１０Ｃ  吸音孔圧力制御カバー
１１  中央硬質材部
１２  周辺弾性材部
１３  孔
１４  吸音材
１６  本発明の実施例１によるスピーカ装置の再生音圧周波数特性
１７  本発明の実施例２によるスピーカ装置の再生音圧周波数特性
１８  本発明の実施例３によるスピーカ装置の再生音圧周波数特性
【図１】
0003552314.tif 000002
【図２】
0003552314.tif 000003
【図３】
0003552314.tif 000004
【図４】
0003552314.tif 000005
【図５】
0003552314.tif 000006
【図６】
0003552314.tif 000007
【図７】
0003552314.tif 000008
【図８】
0003552314.tif 000009
【図９】
0003552314.tif 000010